(57)【要約】      （修正有）【課題】釣竿の上側にレバードラグ式リールが取り付けられ、釣竿の下側に左手の親指以外の複数の指を回し、その左手の手のひらをリールの左側面に沿わせつつ左手の親指をリールの上面部に回し、レバードラグ式リールをその左側面から握持しつつ釣竿を支え右手でハンドル操作を行なう場合、リールの上面部に回した左手の親指によってドラグレバーを操作することに適する小型のレバードラグ式リールの提供と、その操作性の向上を図る。【解決手段】レバードラグ式リールの左側面に沿わせた操作者の左手の手のひら側の親指と人差指の間の箇所の当接軽減部８０として、レバードラグ式リールの左側面の上後端部を左側面の外周縁に向かうに従って深くなるようにスプール１５側へ向けて削ぎ落とした傾斜面とし、レバードラグ式リールの左側面に沿わせた操作者の左手の親指によってドラグレバー１４を操作可能とする。【選択図】図１
2014050334.tif 000002
【特許請求の範囲】
【請求項１】
釣竿の上側に取り付けられ、リール本体に回転自在に支持されたスプールに釣糸を巻き取り操作するハンドル及びドラグ機構のドラグ力を調整するドラグレバーが左右両側のうちの一方側に配置されたレバードラグ式リールにおいて、前記ドラグレバーは、その上端部の操作部が、前記レバードラグ式リールの他方側の側面を握持する操作者の手の親指によって前後方向に揺動操作される位置として、前記スプールの左右両側のフランジ部のうちの一方側のフランジ部を覆う前記リール本体部分の上面に覆い被さる状態に配置され、前記レバードラグ式リールの他方側の側面を握持する操作者の手のひら側の親指と人差指の間の箇所に対応して、前記レバードラグ式リールの他方側の側面の上後部を外周縁に向かうに従って前記スプール側へ近づくように前記外周縁に食い込むように削ぎ落とした傾斜面でもって当接軽減部を形成したことを特徴とするレバードラグ式リール。
【請求項２】
前記当接軽減部は、前記レバードラグ式リールが釣竿に取り付けられた状態で、釣竿の軸線と並行であって前記スプールの軸線と直角に交差する直線によって、レバードラグ式リールの他方側の側面が上部領域と下部領域に分割されるその上部領域の後部領域に形成され、当接軽減部に対応して前記リール本体の前記スプール側となる内側コーナ部分に、前記スプール側に向かう傾斜面にて前記操作者の手の親指の接触緩和用切り欠きを形成したことを特徴とする請求項１に記載のレバードラグ式リール。
【請求項３】
前記レバードラグ式リールが釣竿に取り付けられた状態で、釣竿の軸線と並行であってスプール軸の軸線と直角に交差する直線ＳＬと３０度±５度〜４５度±５度の仰角を成す後方に高い直線ＫＬをセンター軸として、前記レバードラグ式リールの他方側の側面の外周面の上後端部から前記スプールの軸線に至るまでの三分の一乃至二分の一までの範囲に、前記傾斜面によって前記当接軽減部が形成されたことを特徴とする請求項１に記載のレバードラグ式リール。
【請求項４】
前記スプールの左右両側のフランジ部のうちの一方側のフランジ部を覆う前記リール本体部分の上面に、前記ドラグレバーの上端部が覆い被さる状態で揺動自在に嵌まり込む円弧状溝部が形成され、前記ドラグレバーが前記円弧状溝部に沿って揺動自在であることを特徴とする請求項１乃至３のいずれかに記載のレバードラグ式リール。
【発明の詳細な説明】
【技術分野】
【０００１】
本発明は、レバードラグ式リールに関し、特に、レバードラグ式リールのドラグ機構のドラグ力を調整するように、リール本体の側部に揺動自在に装着したドラグレバーの操作性を向上させたレバードラグ式リールに関する。
【背景技術】
【０００２】
レバードラグ式リールは、ハンドルの回転をドラグ機構の摩擦係合力によりスプールに伝達し、ハンドルの回転によって釣り糸をスプールに巻き取るが、魚の種類、釣竿の強度、釣り糸の強度によって、スプールの釣り糸繰り出し方向の回転に対しては、レバーを手動操作することによってドラグ機構の摩擦係合力（ドラグ力）の強弱を調整する方式であり、ジギング釣りやトローリング釣り等の大物釣りに適するように設計され、この種のレバードラグ式リールは公知である（例えば、特許文献１）。
【０００３】
レバードラグ式リールにおいては、魚が掛かったとき、即ち実釣の際には、ハンドルの回転によって釣り糸をスプールに巻き取る操作を行なうが、この実釣中の魚の引き具合に応じて、ハンドルの回転による釣り糸の巻取りを止め、魚の引きによってスプールが釣り糸繰り出し方向へ回転し、スプールから釣り糸が繰り出されるようにする。スプールの釣糸繰り出し方向の回転に対しては、ドラグレバーを手動操作することによってドラグ機構の摩擦係合力（ドラグ力）の強弱を調整する。
【０００４】
通常、レバードラグ式リールは、釣竿の上面側に取付けられ、その状態で、スプールを巻き取り操作するハンドル及びドラグ機構のドラグ力を調整するドラグレバーが右側に配置された状態となる。この状態で、釣竿を支えるように釣竿の下側に左手の親指以外の複数の指を回し、その左手の手のひらをリールの左側面に沿わせつつ左手の親指をリールの上面部に回し、レバードラグ式リールを左手によって握持する状態で釣竿を支えた状態を保ちつつ、右手でハンドル操作を行なう。この場合、レバードラグ式リールの外形が大きい場合は、左手でドラグレバーの操作を行なうことはできず、ハンドルから外した右手でドラグレバーの操作を行うこととなる。
【０００５】
特許文献１のレバードラグ式リールは、ジギング釣りやトローリング釣り等の大物釣りに用いられるように設計されるため、外形寸法も大きい形態になっており、通常使用状態において左手で竿を支えつつリール本体の左側部分を握持し、右手でハンドル操作をする場合、ドラグレバー（ドラグ操作部材）の操作はその左手で行うことは困難であり、右手で行うこととなる。
【先行技術文献】
【特許文献】
【０００６】
【特許文献１】特開２００１−１４８９７５号公報
【発明の概要】
【発明が解決しようとする課題】
【０００７】
上記のように、実釣中の操作としては、釣り糸の巻取り時のハンドル操作と、ドラグレバーの操作とを適宜交互に行ないつつ魚を釣り上げる。このため、ハンドル操作とドラグレバー操作とをスピーディに行なうことが必要となるが、上記のように、この両方の操作を右手で行なう場合は、ハンドル操作からドラグレバー操作へ移る際、またはドラグレバー操作からハンドル操作へ移る際のタイムラグが大きくなることは好ましいことではない。このため、ハンドル操作からドラグレバー操作への切り替わり、またはドラグレバー操作からハンドル操作への切り替わりをスピーディに行なうためには、ハンドル操作は右手で行い、ドラグレバー操作は左手で行なうことにより、上記のタイムラグを極力少なくすることができるようになり、好ましい状態となるが、このためには、レバードラグ式リールの外形を小型化することが望まれる。
【０００８】
レバードラグ式リールには、狙う魚が大きいものは外形寸法が大きい大型となり、狙う魚が小さくなれば外形寸法も小さいもので対応できるようになるが、使用される釣り糸も改良され、複数の細い糸を撚り合わせた撚り糸タイプの釣り糸が存在する。直径が同じ釣り糸であっても、撚り糸タイプの釣り糸は、そうでない釣り糸よりも大きい強度のものにすることができるため、同じ強度の釣り糸であっても撚り糸タイプの釣り糸はその直径も小さくできる。また、同じ長さの釣り糸を使用する場合において、撚り糸タイプの釣り糸は、スプールに巻き取られた状態で押し潰れる状態となり、同じ強度の撚り糸でない釣り糸の場合に比して、スプールに巻き取ったときの巻き取り全体の直径が小さくなるため、スプールの直径も小さくでき、リールを小型化できることとなる。
【０００９】
このようなことから、ジグと称される錘式のルアーを使用し、釣り竿から釣り糸を略真下へ向けて例えば海中５０ｍ乃至それ以上の深さまで垂らして比較的大きな魚を狙うジギング釣り用のレバードラグ式リールであっても、撚り糸タイプの釣り糸を使用するのに適するレバードラグ式リールは、外形寸法の小さい小型化にすることができることとなる。
【００１０】
本発明は、上記のような点に鑑みて、一方の手（例えば左手）でレバードラグ式リールの側面を握持しつつ、その一方の手（例えば左手）でドラグレバーの操作を行ない、他方の手（例えば右手）でハンドル操作を行なうことに適する小型のレバードラグ式リールにおける操作性の向上を図るものである。
【００１１】
本発明は、釣竿の上側にレバードラグ式リールが取り付けられ、釣竿の下側に左手の親指以外の複数の指を回し、その左手の手のひらをリールの左側面に沿わせつつ左手の親指をリールの上面部に回し、レバードラグ式リールを左手でその左側面から握持しつつ釣竿を支え、右手でハンドル操作を行なう場合、リールの上面部に回した左手の親指によってドラグレバーを操作することに適する小型のレバードラグ式リールの提供と、その操作性の向上を図るものである。
【００１２】
本発明は、この場合、左手の手のひら側の親指と人差指の間の箇所が、リール本体の左側面の上部コーナ部分に当たることにより生じる違和感や損傷等による負担を軽減または防止することにより、魚を釣り上げる際のドラグレバー操作を円滑に行えるレバードラグ式リールを提供するものである。
【００１３】
また、ドラグレバー自体を分厚くする等の強度アップ構成を採用しなくても、強い操作力によってドラグレバーを操作した場合にも、ドラグレバーの揺動が安定した状態で行なえるレバードラグ式リールを提供するものである。
【００１４】
上記では、左手でレバードラグ式リールの側面を握持しつつ、その左手の親指でドラグレバーの操作を行ない、右手でハンドル操作を行なうレバードラグ式リールに於いて記載したが、これを左右反転した構成とすれば、レバードラグ式リールを右手で握持しつつ、右手の親指によってドラグレバーを操作し、左手でハンドル操作を行なう形態とすることができ、この場合でも本発明が有効となる技術を提供するものである。また、サミング操作時においても、レバードラグ式リールの側面を握持した操作者の手の親指の保護ができるレバードラグ式リールを提供するものである。
【００１５】
また本発明は、左手の手のひら側の親指と人差指の間の箇所の負担軽減のみならず、スプールから繰り出された釣り糸の弛み部分がレバードラグ式リールの左側面である第１側板カバーの上面部分に巻き付いた（上面部分に付着する）とき、第１側板カバーからの釣り糸の離脱がスムーズに行なわれるレバードラグ式リールを提供するものである。
【００１６】
更に、ドラグレバーの揺動に伴って発音する発音装置を組み込む場合、発音装置をリール本体の側面に形成した従来のものに比して、部品も少なく構造的にも簡素化され、発音装置が外観部から隠れる状態となり、外観デザインも優れたレバードラグ式リールを提供可能とするものである。
【００１７】
上記のように、レバードラグ式リールは、ハンドルの回転によって釣糸をスプールに巻回し、スプールの釣糸繰り出し方向の回転に対しては、レバーを手動操作することによってドラグ力を与える方式であるが、スプールが左右両側に設けた軸受けで回転可能に支持される構成であるため、レバードラグ式両軸受けリールまたはこれに類する名称で呼ばれが、本発明においては、レバードラグ式リールの呼称で統一することとする。
【課題を解決するための手段】
【００１８】
第１発明は、釣竿の上側に取り付けられ、リール本体に回転自在に支持されたスプールに釣糸を巻き取り操作するハンドル及びドラグ機構のドラグ力を調整するドラグレバーが左右両側のうちの一方側に配置されたレバードラグ式リールにおいて、前記ドラグレバーは、その上端部の操作部が、前記レバードラグ式リールの他方側の側面を握持する操作者の手の親指によって前後方向に揺動操作される位置として、前記スプールの左右両側のフランジ部のうちの一方側のフランジ部を覆う前記リール本体部分の上面に覆い被さる状態に配置され、前記レバードラグ式リールの他方側の側面を握持する操作者の手のひら側の親指と人差指の間の箇所に対応して、前記レバードラグ式リールの他方側の側面の上後部を外周縁に向かうに従って前記スプール側へ近づくように前記外周縁に食い込むように削ぎ落とした傾斜面でもって当接軽減部を形成したことを特徴とするレバードラグ式リールである。
【００１９】
第２発明は、第１発明において、前記当接軽減部は、前記レバードラグ式リールが釣竿に取り付けられた状態で、釣竿の軸線と並行であって前記スプールの軸線と直角に交差する直線によって、レバードラグ式リールの他方側の側面が上部領域と下部領域に分割されるその上部領域の後部領域に形成され、当接軽減部に対応して前記リール本体の前記スプール側となる内側コーナ部分に、前記スプール側に向かう傾斜面にて前記操作者の手の親指の接触緩和用切り欠きを形成したことを特徴とする。
【００２０】
第３発明は、第１発明において、前記レバードラグ式リールが釣竿に取り付けられた状態で、釣竿の軸線と並行であってスプール軸の軸線と直角に交差する直線ＳＬと３０度±５度〜４５度±５度の仰角を成す後方に高い直線ＫＬをセンター軸として、前記レバードラグ式リールの他方側の側面の外周面の上後端部から前記スプールの軸線に至るまでの三分の一乃至二分の一までの範囲に、前記傾斜面によって前記当接軽減部が形成されたことを特徴とするレバードラグ式リールである。
【００２１】
第４発明は、第１発明乃至第３発明のいずれかにおいて、前記スプールの左右両側のフランジ部のうちの一方側のフランジ部を覆う前記リール本体部分の上面に、前記ドラグレバーの上端部が覆い被さる状態で揺動自在に嵌まり込む円弧状溝部が形成され、前記ドラグレバーが前記円弧状溝部に沿って揺動自在であることを特徴とするレバードラグ式リールである。
【発明の効果】
【００２２】
第１発明では、実釣中に行なわれる釣り糸の巻取り時のハンドル操作を右手で行い、竿を支えた左手の手のひらをリールの左側面に沿わせつつリールの上面部に回した左手の親指によってドラグレバーの操作を行なうタイプでは、本願発明前のものでは、レバードラグ式リールの左側面の上後端部に、左手の手のひら側の親指と人差指の間の箇所が、リール本体の左側面の上部コーナ部分に強く当たり、それによる違和感や損傷を受けるが、本発明では、レバードラグ式リールの左側面の上後端部をスプール側へ向けて削ぎ落とし形成した傾斜面の存在によって、その違和感や損傷を軽減または防止できるため、実釣中のハンドル操作並びにドラグレバー操作を安定して行なうことができるものとなり、実釣効果を上げるために好ましいものとなる。また、釣竿の上下動操作によってスプールから繰り出された釣り糸に生じた弛み部分がレバードラグ式リールの左側面の上面部分に巻き付いた状態（上面部分に付着する状態）となっても、釣り糸が巻き付く（上面に付着する）範囲が当接軽減部の分だけ短くなるため、その巻き付き（付着）状態から容易に開放され易くなり、釣り糸が絡み合う状態を軽減できる効果が得られる。なお、左右反転した構成のレバードラグ式リールにおいても、同様の効果が期待できる。
【００２３】
第２発明は、第１発明の効果を奏すると共に、傾斜面は、スプールの軸線と直角に交差する直線によって、レバードラグ式リールの左側面が上部領域と下部領域に分割されるその上部領域に形成されているため、レバードラグ式リールの左側面の大きさに応じて傾斜面の範囲を定めればよい。その一つとして、リール本体の左側面は、操作者の左手の手のひらが沿い易いように、当接軽減の傾斜面は、スプールの軸線と直角に交差する直線と鋭角を成す後方に高い直線をセンター軸として、リール本体の左側面の外周面の上後端部からスプールの軸線に至る範囲に形成することにより、汎用的な使用に適するレバードラグ式リールとして広く利用可能なものとなる。また親指の接触緩和用切り欠きによって、サミング操作時に親指が受ける違和感や損傷を軽減または防止できるものとなる。なお、当接軽減の傾斜面は、平坦面のみならず、若干内方へ窪んだ凹面に形成することによって、操作者の左手の手のひら側の親指と人差指の間の箇所との接触感覚が良好な操作性に優れ、且つ外観的に優れたレバードラグ式リールを提供できる。なお、左右反転した構成のレバードラグ式リールにおいても同様の効果が期待できる。
【００２４】
第３発明は、直線ＳＬと３０度±５度〜４５度±５度の仰角を成す範囲で後方に高い直線ＫＬをセンター軸としてリール本体左側の外周面の上後端部から三分の一乃至二分の一までの範囲に、直線ＫＬの左右両側へ広がる傾斜面でもって当接軽減部が形成されることにより、リールの左側を握持する左手のひらの親指と人差し指の間の部分が受ける違和感や損傷を十分軽減または防止できるため、実釣中のハンドル操作並びにドラグレバー操作を安定して行なうことができるものとなり、実釣効果を上げるためにも好ましいものとなる。なお、左右反転した構成のレバードラグ式リールにおいても、同様の効果が期待できる。
【００２５】
第４発明は、第１発明の効果を奏すると共に、スプールの右側部分を覆う部分の上面に、ドラグレバーの上端部が覆い被さる状態で嵌まり込む円弧状溝部を形成した構成により、ドラグレバーの上端部がスプールの右端を覆う部分の上方に突出するため、操作者の左手の親指によるドラグレバーの操作がし易くなる。また、ドラグレバーは円弧状溝部に嵌まり込んだ状態で揺動するため、ドラグレバー自体を分厚くする等の強度アップ構成を採用しなくても、強い操作力によってドラグレバーを操作した場合にも、ドラグレバーの揺動が安定した状態で行なえるものとなる。また、円弧状溝部を利用してドラグレバーの揺動に伴って発音する発音装置を組み込めば、発音装置をリール本体の側面に形成した従来のものに比して、部品も少なく構造的にも簡素化され、発音装置が外観てきに露出しない状態となり、外観デザインも優れたものとなる。なお、左右反転した構成のレバードラグ式リールにおいても、同様の効果が期待できる。
【図面の簡単な説明】
【００２６】
【図１】本発明の実施形態に係るレバードラグ式リールを釣り竿に取付けた状態の正面斜視図である。
【図２】本発明に係るレバードラグ式リールの内部構造を示す要部断面図である。
【図３】本発明に係る第１カムの図であり、（イ）は第１カムの側面図、（ロ）は第１カムの平面図、（ハ）は第１カムのカム面の展開図である。
【図４】本発明に係る第２カムの図であり、（イ）は第２カムの平面図、（ロ）は（イ）のＢ−Ｂ断面図である。
【図５】本発明に係るレバードラグ式リールの釣り竿の竿先方向に向かって左側の側面図である。
【図６】本発明に係るレバードラグ式リールの上面図である。
【図７】本発明に係るレバードラグ式リールのドラグレバーの発音装置部分の断面図である。
【図８】本発明に係るレバードラグ式リールの釣り竿の竿先方向に向かって左側の側面斜視図である。
【図９】本発明に係る当接軽減部を図５の直線ＫＬに直交する中央位置で切断した断面図である。
【図１０】本発明に係る当接軽減部の中央部を直線ＫＬに沿って断面したレバードラグ式リールを後方から見た左側の部分図である。
【図１１】釣り糸ガイドの部分を正面から見た図である。
【図１２】図６のスプール中央部における断面図である。
【図１３】他の実施例として示す本発明に係るレバードラグ式リールの釣り竿の竿先方向に向かって左側の側面図である。
【図１４】図１３に係る本発明のレバードラグ式リールの平面図である。
【図１５】図１３に係る本発明のレバードラグ式リールの背面図である。
【図１６】図１３に係る本発明のレバードラグ式リールの左側の第１側板カバーを当接軽減部の中央部で切断した断面図である。
【発明を実施するための形態】
【００２７】
本発明は、釣竿の上側に取り付けられ、リール本体に回転自在に支持されたスプールに釣糸を巻き取り操作するハンドル及びドラグ機構のドラグ力を調整するドラグレバーが左右両側のうちの一方側に配置されたレバードラグ式リールにおいて、前記ドラグレバーは、その上端部の操作部が、前記レバードラグ式リールの他方側の側面を握持する操作者の手の親指によって前後方向に揺動操作される位置として、前記スプールの左右両側のフランジ部のうちの一方側のフランジ部を覆う前記リール本体部分の上面に覆い被さる状態に配置され、前記レバードラグ式リールの他方側の側面を握持する操作者の手のひら側の親指と人差指の間の箇所に対応して、前記レバードラグ式リールの他方側の側面の上後部を外周縁に向かうに従って前記スプール側へ近づくように前記外周縁に食い込むように削ぎ落とした傾斜面でもって当接軽減部を形成したことを特徴とするレバードラグ式リールであり、以下にその実施例を記載する。
【実施例１】
【００２８】
本発明に係るレバードラグ式リール１は、図１に示すように、その下側部に設けた金属製の取付け脚２を釣竿６０の上側部に形成した取付け部６１に装着して取り付けられ、その取り付け状態において、多くの使用状態として採用される右側ハンドル操作の場合について説明する。
【００２９】
本発明に係るレバードラグ式リール１は、図１に示すように、釣竿６０の竿先に向かって右側に、釣糸６２をスプール１５に巻き取り操作するハンドル１２及びドラグ機構１３のドラグ力を調整するドラグレバー１４が配置され、操作者のハンドル側の手（右手ＲＨ）でハンドル１２を操作し、レバードラグ式リール１の反ハンドル側となる左側面に沿わせた操作者の反ハンドル側の手（左手ＬＨ）によって、釣竿６０を下方から支えると共に左手ＬＨの親指ＬＨ１によって、ドラグレバー１４を操作可能とする小型のレバードラグ式リール１を構成している。
【００３０】
このレバードラグ式リール１は、ジグと称される錘式のルアーを使用し、釣り竿から釣糸６２を略真下へ向けて例えば海中５０ｍ乃至それ以上の深さまで垂らして比較的大きな魚を狙うジギング釣りとして好適なものである。
【００３１】
以下、本発明に係るレバードラグ式リール１の構成について更に詳細に記載する。以下の説明において、レバードラグ式リール１の取付け脚２を釣竿６０の上側部に形成した取付け部６１に装着した状態において、レバードラグ式リール１を後方から釣竿６０の竿先に向かって見た状態で、右側及び左側と呼称して説明することとする。
【００３２】
本発明に係るレバードラグ式リール１は、リール本体１１と、リール本体１１に支持されたスプール軸１６に回転自在に支持されたスプール１５と、スプール１５の釣り糸繰り出し方向回転のドラグ力を調整するドラグ機構１３と、ドラグ機構１３を介してスプール１５を回転駆動する歯車装置ＧＡと、歯車装置ＧＡを回転駆動するハンドル軸を回転させるためのハンドル１２と、ドラグ機構１３のドラグ力を調整するドラグレバー１４を備えている。また、ドラグ機構１３は、ドラグ力の強弱調整範囲をプリセットするドラグ調整装置５０を備えている。
【００３３】
金属製のリール本体１１は、円形状のスプール１５の左側面を覆う側面視円形状の左側の第１側板１１Ａと、第１側板１１Ａよりも直径が大きく且つ円形状のスプール１５の右側面を覆う側面視円形状の右側の第２側板１１Ｂが、複数の連結部１１Ｃにて連結された状態で対向配置された構成を主体部とし、これに第１側板１１Ａの外側を覆うように第１側板１１Ａにネジ１１Ｈで固定された側面視円形状の金属製の第１側板カバー１１Ｄと、第２側板１１Ｂの外側を覆うように第２側板１１Ｂにネジ１１Ｇで固定された金属製の第２側板カバー１１Ｅを備えて構成である。ネジ１１Ｈは、操作者の左手ＬＨの手のひらが接触しないように、第１側板カバー１１Ｄの外表面から突出しないように窪みに配置されている。
【００３４】
第１側板カバー１１Ｄの左側面は、操作者の左手ＬＨの手のひらが沿い易いように、周縁部から中央部に向けて左外方へ大きな曲率で突出した曲面１１Ｄ１をなし、略球面状に膨らんだ丸み形状を呈する。第２側板カバー１１Ｅは、円形状のスプール１５の右側面を覆う側面視円形状部分と、金属製のハンドル取り付け部１２Ｔに連結された金属製のメインギア２２を収容する部分とを一体形成した金属製の第２側板内カバー１１Ｅ１と、ハンドル取り付け部１２Ｔを収容する金属製の第２側板外カバー１１Ｅ２とで構成している。第２側板内カバー１１Ｅ１がネジ１１Ｇで第２側板１１Ｂに固定されており、第２側板内カバー１１Ｅ１と第２側板外カバー１１Ｅ２は、ハンドル取り付け部１２Ｔがメインギア２２と連結される部分で連通する状態にネジ１１Ｊで結合されている。なお、第２側板内カバー１１Ｅ１内のメインギア２２を覆うためにギアカバー１１Ｅ３を備えており、ギアカバー１１Ｅ３は、外側端が第２側板内カバー１１Ｅ１に連接し内側端がネジ１１Ｋで第２側板１１Ｂに取り付けられた構成である。
【００３５】
本発明の目的達成のためには、第１側板１１Ａの直径は操作者の左手ＬＨの手のひらで握持し、且つその状態でドラグレバー１４を左手ＬＨの親指ＬＨ１で操作することに適する大きさにする必要があるため、後述のように、第２側板１１Ｂの直径よりも小さく形成している。一方、上記のように第２側板内カバー１１Ｅ１がネジ１１Ｇで第２側板１１Ｂに固定された構成とするのは、リール本体１１の主体部の一部である第２側板１１Ｂからネジ１１Ｇを外せば、第２側板カバー１１Ｅが取り外し可能であるため、釣り糸の種類等に合わせるためにスプール１５を交換する必要がある場合に適合させるために、第２側板カバー１１Ｅが取り外した状態でスプール１５が交換可能となるように構成している。この場合、第２側板１１Ｂの外側面には、第２側板内カバー１１Ｅ１がネジ１１Ｇで安定的に固定されるためのネジ孔が必要であり、そのネジ孔の確保のために第２側板１１Ｂの直径がある程度必要となる。それ故、小さく形成した第１側板１１Ａの直径よりも第２側板１１Ｂの直径が大きくなっている。その一つの実施例として、後述のように、第１側板１１Ａの直径が５６ｍｍであり、第２側板１１Ｂの直径が６５ｍｍである。
【００３６】
リール本体１１には、スプール軸１６の左右両側部が、第１側板１１Ａの一部である第１側板カバー１１Ｄに設けた軸支持部１１Ｄ２と、第２側板１１Ｂの一部である第２側板カバー１１Ｅに設けた軸支持部１１Ｄ３に支持されており、それによって、リール本体１１に対して金属製のスプール軸１６が、回転不能且つスプール軸１６の軸方向へ移動可能（左右移動可能）である。実施例では、第２側板カバー１１Ｅの外面部（具体的には第２側板内カバー１１Ｅ１の外面部）に、スプール軸１６と同軸に膨出形成した膨出部１１Ｅ１Ｂが形成されており、膨出部１１Ｅ１Ｂを貫通してスプール軸１６が、その軸方向に移動可能且つ回転不能に延出するように、膨出部１１Ｅ１Ｂに軸支持部１１Ｄ３が形成されている。軸支持部１１Ｄ２の一部には、スプール軸１６から突出した回り止めピン１６Ｐが嵌まり込む溝１１Ｄ２１が形成されており、回り止めピン１６Ｐが溝１１Ｄ２１に嵌まり込んだ状態で、スプール軸１６が回転不能且つ軸方向へ移動可能（左右移動可能）である。
【００３７】
釣り糸６２を巻き取る金属製のスプール１５は、釣り糸６２を巻き取る円筒状の小径の糸巻き胴部１５Ａと、糸巻き胴部１５Ａの左右両側に設けた円形状の大径のフランジ部１５Ｂ、１５Ｃを一体形成している。スプール１５は、左右両側部が軸受け１７Ａ、１７Ｂを介してスプール軸１６対して遊転可能に支持されている。この状態で、左側のフランジ部１５Ｂは、リール本体１１の第１側板１１Ａの内側に入り込んだ状態で配置され、右側のフランジ部１５Ｃは、リール本体１１の第２側板１１Ｂの内側に入り込んだ状態で配置される。
【００３８】
軸受け１７Ａは、スプール１５の左側の第１凹部に装着されており、スプール軸１６に取付けたワッシャ１６Ｗと軸受け１７Ａとに付勢力が働く４枚の皿バネからなる第１付勢部材２７によって、図２で右方向となる内方へ付勢され、スプール１５の第１凹部に押し圧されている。軸受け１７Ｂは、スプール１５の右側の第２凹部に装着されており、後述の軸受け２５との間のスプール軸１６の周囲に配置したコイルバネからなる第２付勢部材２８によって、スプール軸１６の内方（図２で左方）に付勢されている。この第２付勢部材２８によって、ドラグフリー状態において、第２摩擦板１３Ｂから第１摩擦板１３Ａが離間するように、スプール１５をスプール軸１６の内方（図２で左方）に付勢する。
【００３９】
スプール１５は、リール本体１１に回転自在に取り付けたハンドル１２の回転操作によって、釣り糸６２がスプール１５に巻き取られる。スプール１５は、２号撚り糸（ＰＥラインと称する）の釣糸６２を略６００ｍの長さまで安定に巻回できるように、糸巻き胴部１５Ａ及び左右両側のフランジ部１５Ｂ、１５Ｃが形成されている。
【００４０】
ハンドル１２は、金属製のハンドルアーム１２Ｂと、ハンドルノブとしてゴムなどの弾力材の握り部１２Ｄを備えており、ハンドル取り付け部１２Ｔにてリール本体１１に回転自在に取付けられている。具体的には、ハンドル取り付け部１２Ｔは、第２側板カバー１１Ｅ内（図示では第２側板外カバー１１Ｅ２内）に設けた軸受け１８Ａ、１８Ｂによって、スプール軸１６に平行に金属製のハンドル軸１２Ａが回転自在に支持され、第２側板カバー１１Ｅを貫通したハンドル軸１２Ａの外側端部（図示では右側端部）に、ネジ１９によってハンドルアーム１２Ｂの基部が固定され、ハンドルアーム１２Ｂの先端部に握り部１２Ｄをハンドルノブ支持軸部１２Ｅによって回転自在に支持している。ハンドルノブ支持軸部１２Ｅは、ハンドルアーム１２Ｂに略直角に交差するように、ハンドルアーム１２Ｂの先端部に固定したハンドルノブ軸１２Ｃに、軸受け２０Ａ、２０Ｂを介して握り部１２Ｄと一体の円筒部１２Ｄ１が回転自在に支持された構成である。これによって、握り部１２Ｄを操作者の右手によって握持した状態で、スプール１５へ釣り糸６２の巻き取りを行なう場合、ハンドル軸１２Ａを中心として握り部１２Ｄを釣り糸巻き取り方向（レバードラグ式リール１の右側面視で時計方向）に回転させることに伴って、ハンドルノブ軸１２Ｃを中心として握り部１２Ｄが回転するため、スプール１５へ釣り糸６２の巻き取りを連続して行なうことができる。
【００４１】
ハンドル１２は、スプール１５へ釣り糸６２を巻き取る方向（正方向回転という）へは回転できるがその逆方向回転はできないようにするために、第２側板カバー１１Ｅ内（具体的には第２側板外カバー１１Ｅ２内）において、軸受け１８Ａ、１８Ｂ間にワンウェイクラッチ２１が設けられている。ワンウェイクラッチ２１は周知の構成であり、第２側板カバー１１Ｅ側のアウターハウジングと、ハンドル軸１２Ａ側のインナーハウジングとの間に介在したローラの作用によって、ハンドル軸１２Ａが前記正回転方向のみ許容される周知の仕組みである。このため、ハンドル１２の正方向回転によってハンドル軸１２Ａが正方向回転し、後述のドラグ機構１３を介してスプール１５が釣り糸６２を巻き取る方向へ回転する。一方、釣り糸６２の繰り出しによってスプール１５が繰り出し方向回転（釣り糸６２を巻き取る方向とは逆方向の回転）する場合、その回転が後述のドラグ機構１３及びメインギア２２等を介してハンドル軸１２Ａへ伝達されるが、ワンウェイクラッチ２１の作用によってハンドル軸１２Ａは回転せず、従ってハンドル１２も逆方向回転（釣り糸６２を巻き取る方向とは逆方向の回転）しないように動作する。
【００４２】
ハンドル１２の正方向回転をスプール１５へ伝達するために、ハンドル軸１２Ａの左端部に固定したメインギア２２に噛み合うように金属製のピニオンギア２３を備えている。軸受け２４は、周知のボールベアリング型式の軸受けであり、その外輪が第２側板カバー１１Ｅ内の凹部に装着され内輪がピニオンギア２３の外周の外側端部に装着されており、それによって、ピニオンギア２３が第２側板カバー１１Ｅ内に回転自在に支持され、ピニオンギア２３は、スプール軸１６に対しては回転自在且つスプール軸１６が軸方向移動自在なるように装着されている。この状態で、スプール軸１６の軸方向移動は許容するが、メインギア２２の回転に伴ってピニオンギア２３が回転する関係である。また、ピニオンギア２３の内側端部には、後述のドラグ機構１３の第２摩擦板１３Ｂと一体の取付け板１３Ｂ１の内周部分が嵌合し、ピニオンギア２３と第２摩擦板１３Ｂが一体化されている。
【００４３】
ドラグ機構１３は、回転しないスプール軸１６に回転自在に装着されたスプール１５に釣り糸６２を巻き取る場合、巻き取り操作するハンドルの回転をスプール１５に伝達するための回転伝達力の強弱を調整すると共に、スプール１５の釣り糸繰り出し方向回転に制動力を加え、この制動力を調整し、また変更するためのものである。
【００４４】
このためドラグ機構１３は、ドラグ力の強弱を揺動動作にて調整する金属製のドラグレバー１４と、スプール１５と共に回転するようにスプール１５の一側面であるハンドル側（図示では右側）の円形状のフランジ部１５Ｃの側面に固定した円板状の第１摩擦板１３Ａと、第１摩擦板１３Ａに当接可能に対峙しハンドル１２の回転に伴って回転する円板状の第２摩擦板１３Ｂと、スプール軸１６に対してスプール１５をスプール軸１６の軸方向（ハンドル側となる図示では右側）に向けて付勢する４枚の皿バネからなる第１付勢部材２７と、ドラグフリー状態で第２摩擦板１３Ｂから第１摩擦板１３Ａが離間するようにスプール１５をスプール軸１６の軸方向（反ハンドル側となる図示では左側）に付勢するコイルバネからなる第２付勢部材２８と、ドラグレバー１４の揺動動作にてスプール軸１６の軸方向移動を制御するカム機構３０と、ドラグレバー１４の揺動によるドラグ力の強弱調整範囲を予め所定の範囲に設定する（プリセットという）ドラグ調整装置５０とを備えている。これによって、ドラグレバー１４の揺動動作にて第１摩擦板１３Ａと第２摩擦板１３Ｂとの摩擦係合力（ドラグ力）の強弱が調整され、スプール１５の釣り糸繰り出し方向回転に加える制動力が調整される。
【００４５】
なお、第１付勢部材２７の付勢力（バネ力）は、第２付勢部材２８の付勢力（バネ力）よりも大きく設定されている。また、第１付勢部材２７と第２付勢部材２８によって、スプール１５の自由回転時のガタツキを防止している。
【００４６】
第２摩擦板１３Ｂは、スプール軸１６に対して、ピニオンギア２３の回転に伴って回転するが、スプール軸１６が軸方向へ移動しても移動しないように移動不能且つ回転可能である。このため、第２摩擦板１３Ｂは、軸受け２５を介してスプール軸１６に遊転可能に支持され且つスプール軸１６の移動自在に支持される。この軸受け２５は、周知のボールベアリング型式であり、その外輪が第２摩擦板１３Ｂの凹部に装着され、内輪がスプール軸１６に遊嵌されている。これによってスプール軸１６に対して、ピニオンギア２３と共に第２摩擦板１３Ｂが回転自在であり、且つスプール軸１６はその軸方向移動自在である。
【００４７】
第２側板カバー１１Ｅの外面部（具体的には第２側板内カバー１１Ｅ１の外面部）に、スプール軸１６と同軸に膨出形成した膨出部１１Ｅ１Ｂは、スプール軸１６のピニオンギア２３よりもハンドル１２側へ延出する部分を取り囲んで二段階に膨出形成されており、その二段階の二段目を貫通してスプール軸１６がその軸方向に移動可能に延出するように、軸受け部１１Ｄ３で支持されている。
【００４８】
ドラグレバー１４は、第２側板カバー１１Ｅの外面部（具体的には第２側板内カバー１１Ｅ１の外面部）の膨出部１１Ｅ１Ｂに揺動自在（回動自在ともいう）に支持されている。具体的には、ドラグレバー１４の基部に形成した円筒状の支持部１４Ａが、膨出部１１Ｅ１Ｂの一段目の円筒状外面に揺動自在（回動自在ともいう）に組み合わされ、支持部１４Ａの内周の一部に形成した環状の係止部１４Ｂが、膨出部１１Ｅ１Ｂの二段目の外周面に取り付けたＣ形リングまたはＥ形リングの抜け止め部材１４１によって抜け止め保持されている。この状態でドラグレバー１４は、第２側板内カバー１１Ｅ１に対してスプール軸１６を中心として揺動自在（回動自在ともいう）に保持される。なお、ドラグレバー１４の揺動（回動ともいう）範囲は、略１３０度である。
【００４９】
カム機構３０は、ドラグレバー１４側の第１カム３１と、第１カム３１に噛み合うリール本体１１側の第２カム３２とで構成される。第１カム３１は、環状の係止部１４１の外側面に沿って配置され、筒状の膨出部１１Ｅ１Ｂを取り囲むように円筒状の支持部１４Ａの内側に回り止め状態に取り付けた傾斜カムである。第１カム３１は傾斜カムと称するように、ハンドル１２側へ向けて徐々に高く傾斜した円弧状のカム面３１Ａを形成している。製作のし易さ、取り付けのし易さ、ドラグ動作の安定化のために、第１カム３１は図３に示すように円形状リングをなし、カム面３１Ａは、スプール１５の軸線１６Ｓを中心とした半径方向の対称位置に形成された対称カム面３１Ａの構成であり、この対称のカム面３１Ａは、ハンドル１２側から見て反時計回りに傾斜が徐々に強くなる（ハンドル１２側へ近づくように高くなる）形状である。これによって第１カム３１は、スプール軸１６を中心としてドラグレバー１４と共に揺動（回動）する。なお、第１カム３１は、支持部１４Ａの内側に支持部１４Ａと一体形成でもよい。
【００５０】
第２カム３２は、第１カム３１に対向配置したリール本体側カムであり、第１カム３１のカム面３１Ａと相互摺動するカム部３２Ａを備えている。膨出部１１Ｅ１Ｂの二段目の外周は、図示の六角形のような多角形部１１Ｅ１Ｂ６を備え、第２カム３２は、図４に示すように、この多角形部１１Ｅ１Ｂ６に嵌合する内周面３２Ｂ１とドラグレバー１４の支持部１４Ａの先端部分の円形状の内周面に沿う円形状の外周面とを形成した環状のカム体３２Ｂと、カム体３２Ｂのスプール軸１６を中心とした半径方向の１８０度対称位置で外方へ突出するように取付けた棒状の突起カム形態のカム部３２Ａとで構成されている。
【００５１】
カム機構３０として、第１カム３１と第２カム３２のいずれか一方が傾斜カム形態であり、他方が突起カム形態である技術は、例えば、特開平１１−１５５４４２号公報で公知であるため、この基本的な技術のみは新規技術ではないが、安定動作を達成するための構成については、本発明によって新規に得られたものである。
【００５２】
これによって、第２カム３２は、膨出部１１Ｅ１Ｂの多角形部１１Ｅ１Ｂ６に回転不能状態で且つスプール軸１６の軸方向へ移動可能状態であり、ドラグレバー１４は、スプール軸１６の軸方向へ移動不能状態であって第２カム３２に対して揺動（回動）自在である。
【００５３】
第１カム３１のカム面の具体的な構成を図３の（イ）〜（ハ）に示す。図３の（イ）は第１カム３１の側面図、図３の（ロ）は第１カム３１の平面図、図３の（ハ）は第１カム３１のカム面３１Ａの展開図である。これらの図において、スプール軸１６の軸線１６Ｓを中心とした半径方向の１８０度対称位置であるＰ及びＱの範囲に、同じ形状でカム面３１Ａが形成されている。Ａの範囲が平坦カム面であり、Ｂの範囲がきつい傾斜の第１傾斜カム面であり、Ｃの範囲が緩い傾斜の第２傾斜カム面であり、Ｄの範囲が更に緩い傾斜の第３傾斜カム面である。第２カム３２のカム部は、図４の（イ）（ロ）に示すように、第２カム３２の１８０度対称位置に設けた突起カム形態のカム部３２Ａが、Ｐ及びＱの範囲でカム面３１Ａと相互摺動する。
【００５４】
ドラグレバー１４を手動操作することによって、ドラグ機構１３の摩擦係合力（ドラグ力）の強弱を調整するが、その場合のドラグ力の強弱調整範囲の初期設定は、ドラグ調整装置５０によって行なわれる。ドラグ調整装置５０は、ドラグレバー１４を揺動自在（回動自在ともいう）に支持する膨出部１１Ｅ１Ｂの先端の多角形部１１Ｅ１Ｂ６よりも、ハンドル１２側へ延出するスプール軸１６の先端部分に形成した雄ネジ１６Ａと、この雄ネジ１６Ａに螺合する雌ネジ５１Ａを内側に形成した有底円筒状をなし第２カム３２に相対回転可能に当接したドラグ調整部材５１を備えている。
【００５５】
ハンドル１２側から見て、ドラグ調整部材５１を時計回りに回動させることにより第２付勢部材２８が圧縮されつつ、雌ネジ５１Ａと雄ネジ１６Ａの螺合長さが長くなり、スプール軸１６がスプール１５を伴ってハンドル１２側（図２で右側）へ僅かに移動し、ドラグ力が僅かに強くなるドラグ力強設定状態となる。また、ハンドル１２側から見て、ドラグ調整部材５１を反時計回りに回動させることにより第２付勢部材２８の圧縮が弱まり、雌ネジ５１Ａと雄ネジ１６Ａの螺合長さが短くなり、スプール軸１６がスプール１５を伴ってハンドル１２側から離れる方向（図２で左側）へ僅かに移動し、ドラグ力が僅かに弱くなるドラグ力弱設定状態となる。このようにドラグ調整装置５０によって、ドラグ力の強弱調整範囲の初期設定がなされる。
【００５６】
ドラグ調整装置５０にて一つの調整範囲に設定した場合、図２のスプール軸１６の軸線１６Ｓより上半分は、第１摩擦板１３Ａと第２摩擦板１３Ｂの当接力が強い状態、即ちドラグ機構１３による強ドラグ状態を示すものであり、図２のスプール軸１６の軸線１６Ｓより下半分が、第１摩擦板１３Ａと第２摩擦板１３Ｂが離間した状態、即ちドラグ機構１３によるドラグ力がゼロ状態のフリー状態を示すものである。
【００５７】
第１摩擦板１３Ａと第２摩擦板１３Ｂとの当接力の強弱が調整されることにより、ドラグ力が調整されるため、この動作を安定させるために、第１摩擦板１３Ａは耐熱性と耐磨耗性を備えたコルク、合成樹脂等で構成された僅かに弾性を備えたドーナツ状ディスクである。また、第２摩擦板１３Ｂはステンレス等の金属製または耐摩耗性に優れた合成樹脂製の円盤状である。
【００５８】
ドラグレバー１４の揺動によってドラグ力を調整する場合について説明する。ドラグレバー１４をドラグフリーの状態とするためには、ドラグレバー１４を図１のＲ方向（手前側、反時計回り）いっぱいまで（スタート位置まで）揺動（回動）する。これによって、第２カム３２の１８０度対称位置に設けたそれぞれのカム部３２Ａが、第１カム３１のカム面３１Ａの１８０度対称位置に設けたそれぞれのＡの範囲（ドラグレバー１４の揺動（回動）角度が１０度の範囲）に位置し、第２付勢部材２８の付勢によってスプール軸１６がスプール１５を伴って図２の左方向へ移動させるため、それによって第１摩擦板１３Ａが図２の左方向へ移動し、第１摩擦板１３Ａが第２摩擦板１３Ｂから離れた状態となる。これは、釣糸６２を竿先方向へ引っ張る作用に対してドラグ力は掛からないゼロの状態である。即ち、スプール１５の釣り糸繰り出し方向回転に対して、ドラグ機構１３によるドラグ力が掛からない状態となり、スプール１５が自由回転状態となるため、キャスティングを行なえる状態となる。
【００５９】
このＡの状態からドラグレバー１４を図１のＦ方向（前方、時計回り）へ揺動（回動）することにより生じる相対運動によって、第２カム３２の１８０度対称位置に設けたそれぞれのカム部３２Ａが、第１カム３１のカム面３１ＡのＡの範囲からカム面３１ＡのＢの範囲へ移行し、１８０度対称位置に設けたそれぞれのＢの範囲（ドラグレバー１４の揺動（回動）角度が２０度の範囲）のカム面を第２カム３２のカム部３２Ａが登ることにより、第２カム３２が図２の右方向へ移動し、それに伴ってドラグ調整部材５１が図２の右方向へ移動するため、ドラグ調整部材５１によってスプール軸１６が第２付勢部材２８の付勢に抗してハンドル１２側（図２で右側）へ引き寄せられて移動し、それに伴ってスプール１５も第１付勢部材２７を介して同じ方向へ移動する。このため、それぞれのカム部３２Ａがカム面３１ＡのＢの範囲の略中間位置から第１摩擦板１３Ａが第２摩擦板１３Ｂに当接し、ドラグ力が掛かり始める状態となり、且つ、ハンドル１２の回転によってスプール１５が釣り糸６２を巻き取り方向へ回転可能となる。
【００６０】
この当接が始まった状態から更にドラグレバー１４を図１のＦ方向（前方、時計回り）へ揺動（回動）することにより、第２カム３２の１８０度対称位置に設けたそれぞれのカム部３２Ａが第１カム３１のカム面３１ＡのＣの範囲へ移行し、１８０度対称位置に設けたそれぞれのＣの範囲（ドラグレバー１４の揺動（回動）角度が７０度の範囲）のカム面を第２カム３２のカム部３２Ａが登ることにより、第２カム３２が図２の右方向へ移動し、それに伴ってドラグ調整部材５１が図２の右方向へ移動するため、上記同様にドラグ調整部材５１によってスプール軸１６及びスプール１５がハンドル１２側（図２で右側）へ引き寄せられて移動し、第１摩擦板１３Ａが第２摩擦板１３Ｂに当接する当接力が徐々に強くなる。即ち、ドラグ力が徐々に強くなる。
【００６１】
Ｂの範囲のカム面の傾斜をＣの範囲のカム面の傾斜よりも強くしているのは、Ａの範囲のドラグフリーの状態から速やかにドラグ作用開始状態へ移行できるようにするためであり、Ｂの範囲のカム面の傾斜の中間位置からドラグ作用が開始し、それ以降はＣの範囲のカム面の傾斜に沿ってドラグ力が徐々に強くなるようにしている。
【００６２】
Ｃの範囲を越えてドラグレバー１４を図１のＦ方向（前方、時計回り）へ揺動（回動）することにより、第２カム３２のカム部３２Ａが第１カム３１のカム面３１ＡのＣの範囲からＤの範囲へ移行し、Ｄの範囲（ドラグレバー１４の揺動（回動）角度が３０度の範囲）のカム面を第２カム３２のカム部３２Ａが登ることにより、第２カム３２が図２の右方向へ移動し、それに伴ってドラグ調整部材５１が図２の右方向へ移動するため、上記同様にドラグ調整部材５１によってスプール軸１６及びスプール１５がハンドル１２側（図２で右側）へ引き寄せられて移動し、第１摩擦板１３Ａが第２摩擦板１３Ｂに当接する当接力が更に強くなる。Ｄの範囲の最終部がドラグレバー１４の揺動（回動）動作の終点であり、このときドラグ力が最大となる。
【００６３】
また、ドラグレバー１４を図１のＲ方向（手前側、反時計回り）へ揺動（回動）することによって、第２カム３２のカム部３２Ａが第１カム３１のＤの範囲、Ｃの範囲、Ｂの範囲を順次経ることに伴って、第１摩擦板１３Ａが図２の左方向へ移動してドラグ力が徐々に弱まる。
【００６４】
上記のように、ドラグレバー１４のＦ方向（前方、時計回り）、Ｒ方向（手前側、反時計回り）への揺動（回動）動作によって、ドラグ力の強弱を調整できるため、実釣中のハンドル１２の操作並びにドラグレバー１４の操作を適宜行なうことにより、実釣効果を得ることができる。
【００６５】
そして、第２カム３２の１８０度対称位置に設けたそれぞれのカム部３２Ａが、第１カム３１の１８０度対称位置に設けたそれぞれのＡの範囲に位置したとき、上記のように、第１摩擦板１３Ａが図２の左方向へ移動して、第１摩擦板１３Ａが第２摩擦板１３Ｂから離れた状態となるため、釣糸６２を竿先方向へ引っ張る作用に対してドラグ力は掛からないゼロの状態である。
【００６６】
上記の記載から明らかなように、第２カム３２のカム部３２Ａが第１カム３１のＡの範囲に位置した状態では、スプール１５は、ドラグ機構１３との連繋やハンドル取り付け部１２Ｔを含むハンドル１２側との連繋も外れた状態であるため、スプール１５の釣り糸繰り出し方向回転に対して殆んど抵抗がない状態となる。この状態で、キャスティングを行なう、即ち、ジグと称される錘式のルアーを使用した釣り糸６２を釣り竿６０から略真下へ向けて、例えば海中５０ｍ乃至それ以上の深さまで垂らした後、ドラグレバー１４を図１のＦ方向（前方、時計回り）へ揺動（回動）することにより、上記のように、ドラグ機構１３が作動してドラグが掛かる。このため、ドラグレバー１４のＦ方向（前方、時計回り）・Ｒ方向（手前側、反時計回り）への揺動（回動）動作と、ハンドル１２の回転操作とを適宜行うことによって、釣り糸６２を所望の状態に繰り出した状態にて実釣動作を行なうことができる。
【００６７】
レバードラグ式リール１は、図１に示すように、その下側部に設けた金属製の取付け脚２を釣竿６０の上側部に形成した取付け部６１に装着して取り付けられ、その取り付け状態において、レバードラグ式リール１の左側面に沿わせた操作者の左手ＬＨの中指や薬指などによって釣竿６０を下方から支えると共に、その左手ＬＨによってレバードラグ式リール１を握持し、左手ＬＨの親指ＬＨ１によってドラグレバー１４を操作可能とし、操作者の右手ＲＨでハンドル１２を操作可能とする構成である。また、左手ＬＨの親指ＬＨ１は、ドラグレバー１４から離した状態で、釣り糸６２がスプール１５へ略均等状態に巻き取られるように釣り糸６２を案内するように操作することができる。
【００６８】
このためのレバードラグ式リール１の好ましい形態の一つとして、図に示すように、スプール１５の大きさは、左右フランジ部１５Ｂ、１５Ｃの直径が４９ｍｍ、糸巻き胴部１５Ａが直径２０ｍｍ、左右フランジ部１５Ｂと１５Ｃの間隔が２４ｍｍである。また、第１側板１１Ａと第２側板１１Ｂの間隔は２６ｍｍであり、第１側板１１Ａの直径は５６ｍｍの円形状であり、右側の第２側板１１Ｂの直径は６５ｍｍの円形状であり、左側の第１側板カバー１１Ｄの直径は５６ｍｍの円形状であり、第１側板１１Ａの厚さは７ｍｍ、第１側板カバー１１Ｄの厚さはスプール軸１６の軸線１６Ｓ上で１４ｍｍである。これによって、レバードラグ式リール１の左側面に沿わせた操作者の左手ＬＨの中指や薬指などによって釣竿６０を下方から支えると共に、その左手ＬＨによってレバードラグ式リール１を握持し、操作者の右手ＲＨでハンドル１２が操作可能であると共に、左手ＬＨの親指ＬＨ１によってドラグレバー１４の前後方向への揺動操作が簡単に行なえるものとなる。
【００６９】
レバードラグ式リール１の左側面の上後端部には、レバードラグ式リール１の操作者の左手ＬＨの手のひら側の親指ＬＨ１と人差指ＬＨ２の間の箇所の当接軽減部８０として、側面視円形状の左側の第１側板１１Ａの外面の一部を削ぎ落とした傾斜面を形成している。当接軽減部８０は、図１、図５、図６及び図８〜図１０に示すように、側面視円形状の左側の第１側板１１Ａの一部をなす第１側板カバー１１Ｄの外周面の上後端部に食い込むように、レバードラグ式リール１の左側面となる第１側板カバー１１Ｄの左側面には、第１側板カバー１１Ｄの左側面の内方（中心側）から外周縁１１ＤＳに向かうに従って前記スプール側へ近づくように外周縁１１ＤＳに食い込む状態に削ぎ落とした傾斜面にて形成されている。この当接軽減部８０の傾斜面は、第１側板カバー１１Ｄの左側面の内方（中心側）から外周縁１１ＤＳに向かうに従ってスプール１５側へ近づくように削ぎ落とした傾斜面にて形成され、図９及び図１０に実線断面で示すような平面状の傾斜のみならず、図９に点線８０Ｋで示すような凹曲面で形成される。
【００７０】
当接軽減部８０の傾斜面は、図５に示すように、レバードラグ式リール１が釣竿６０に取り付けられた状態で、側面視において、スプール軸１６の軸線１６Ｓと直角に交差し実質的に釣竿６０の軸線６０Ｓと平行である直線ＳＬによって、レバードラグ式リール１の左側面が上部領域１Ｓ１と下部領域１Ｓ２に分割されるその上部領域１Ｓ１の後部領域に形成された構成である。
【００７１】
その一つは、図５に示すように、当接軽減部８０の傾斜面は、側面視において、実質的に、釣竿６０の軸線６０Ｓと並行であってスプール軸１６の軸線１６Ｓと直角に交差する直線ＳＬと、直線ＳＬに直角に交差する直線ＳＹとで囲まれた上部の後部領域１Ｓ１１に形成された構成である。このため、当接軽減部８０の傾斜面は、操作者の左手ＬＨの手のひら側の親指ＬＨ１と人差指ＬＨ２の間の箇所の当接時の違和感を緩和する主体部分が、後部領域１Ｓ１１に形成されればよく、側面視において、左右の部分がこの後部領域１Ｓ１１から若干はみ出しても、本発明の趣旨から逸脱しない。
【００７２】
一つの実施形態として、第１側板カバー１１Ｄの左側面は、側面視形状が円形状をなしており、操作者の左手ＬＨの手のひらが沿い易いように、周縁部から中央部に向けて左外方へ略均等に突出した球面状等の曲面をなしており、当接軽減部８０の傾斜面は、図５等に示すように、レバードラグ式リール１の側面において、直線ＳＬに対する仰角αが実質的に４０度の角度を成す後方に高い直線ＫＬをセンター軸として、このセンター軸線ＫＬ上で、実質的に、第１側板カバー１１Ｄの外周面１１ＤＳのうちの上後端部１１ＤＴからスプール１５の軸線１６Ｓ（スプール軸１６の軸線１６Ｓと同じ）に至るＴＯの範囲内に形成している。傾斜面でもって形成される当接軽減部８０は、直線ＫＬの線に沿って第１側板カバー１１Ｄの左側面の内方（中心側）から外周縁１１ＤＳに向かうに従ってスプール１５側へ近づくように削ぎ落とした傾斜面にて形成され、図９に実線で示すような直線ＫＬの左右両側へ広がる平面状の傾斜のみならず、図９に点線８０Ｋで示すような直線ＫＬの線上が最も深く直線ＫＬの左右に湾曲した凹曲面で形成される。
【００７３】
この場合、直線ＳＬに対する仰角αが実質的に４０度の角度は、直線ＳＬと３０度±５度〜４５度±５度の仰角に範囲であれば本発明の目的を達成できるものである。図示の実施例では直線ＳＬに対する仰角αが４０度の角度を成す直線ＫＬを示している。そして、図９及び図１０に実線で示すような直線ＫＬの左右両側へ広がる平面状の傾斜面のみならず、図９に８０Ｋの点線で示すような直線ＫＬの線上が最も深く直線ＫＬの左右に湾曲した凹曲面で形成される傾斜面によって、当接軽減部８０が形成されることによって、本発明の好ましい効果を達成できる。この場合、当接軽減部８０の傾斜面が図９に実線で示すような直線ＫＬの左右両側へ広がる平面状の傾斜面である場合は、直線ＫＬの線上でのスプール軸１６の軸線１６Ｓに対する傾きβが鋭角であり、図９に８０Ｋの点線で示すような凹曲面で形成される場合は、直線ＫＬの線上でのスプール軸１６の軸線１６Ｓに対する傾きβが鋭角である。なお、第１側板カバー１１Ｄの左側面における当接軽減部８０の傾斜面の端に相当する稜線８０Ｓ部分は、エッジを形成するのではなく、曲面でもって第１側板カバー１１Ｄの左側面に収斂しているため、操作者の左手ＬＨの手のひら側の親指ＬＨ１と人差指ＬＨ２の間の箇所の当接時の違和感が緩和されるものとなる。
【００７４】
図１０には、第１側板カバー１１Ｄは、直径が５６ｍｍ、厚さ１４ｍｍ、外周面１１ＤＳの幅が９ｍｍで、スプール軸１６の軸線１６Ｓ上が最も外方へ張り出すように７９ｍｍの半径で第１側板カバー１１Ｄの曲面１１Ｄ１が形成され、仰角αが４０度で、スプール軸１６の軸線１６Ｓから１８ｍｍ上方位置から傾きβが５０度でもって当接軽減部８０の傾斜面を形成している。この場合、直線ＫＬ上での当接軽減部８０の傾斜面の幅は約１０ｍｍである。この形態によって、レバードラグ式リール１の左側面を握持する操作者の左手の手のひら側の親指と人差指の間の箇所は、当接軽減部８０によってレバードラグ式リール１の左側面上後部から外周縁に向かう部分への当接が緩和され、左側面を握持する左手の違和感や損傷を軽減または防止できることとなり、実釣中のハンドル操作並びにドラグレバー操作を安定して行なうことができるものとなり、実釣効果を上げるために好ましいものとなる。
【００７５】
図１３〜図１６は、本発明に係るレバードラグ式リール１の他の実施例を示すものであり、第１側板カバー１１Ｄの外周面の上後端部からスプール軸１６の軸線１６Ｓに至る範囲ＴＯに亘って当接軽減部８０の平坦な傾斜面が形成されたものである。この場合、直線ＳＬに対する仰角αは４０度であり、直線ＫＬの線上でのスプール軸１６の軸線１６Ｓに対する鋭角の傾きβは、７５度に形成されている。これらの図において、当接軽減部８０の傾斜面は、第１側板カバー１１Ｄの左側面における傾斜面の端に相当する稜線８０Ｓ部分で後部領域１Ｓ１１から若干はみ出した状態であるが、操作者の左手ＬＨの手のひら側の親指ＬＨ１と人差指ＬＨ２の間の箇所の当接時の違和感を緩和する主体部分が、直線ＫＬをセンター軸として、実質的に、第１側板カバー１１Ｄの外周面の上後端部１１ＤＴからスプール１５の軸線１６Ｓ（スプール軸１６の軸線１６Ｓと同じ）に至るＴＯの範囲内において、後部領域１Ｓ１１に形成されたものであり、本発明の趣旨から逸脱するものではない。
【００７６】
第１側板カバー１１Ｄで覆われた内側には、スプール軸１６の軸支持部１１Ｄ２や、スプール１５に対する後述のブレーキ装置や、スプール１５の回転をロックする後述のロック装置等の種々の機構部が設けられているため、当接軽減部８０の傾斜面をあまり広い範囲としたり、スプール１５側に近づく傾斜を深くし過ぎると、これらの機構部へ悪影響を及ぼすこととなるため、それを防止するために第１側板カバー１１Ｄを左方への張り出しが大きいものにする必要が生じる。第１側板カバー１１Ｄが左方への張り出しが大きくなれば、左手ＬＨの親指ＬＨ１によってドラグレバー１４を操作し難くなる。この点を考慮すれば、当接軽減部８０の傾斜面は、第１側板カバー１１Ｄの外周面の上後端部からスプール軸１６の軸線１６Ｓに至る範囲ＴＯのうち、第１側板カバー１１Ｄの外周面の上後端部１１ＤＴから略三分の一乃至二分の一までの範囲に形成するのが好ましい。この場合、当接軽減部８０の傾斜面は、後部領域１Ｓ１１からはみ出すことがあっても、実質的に機能する当接軽減部８０の部分が後部領域１Ｓ１１に存在すれば、本発明が目的とする当接軽減部８０の作用が達成できるため、本発明の趣旨から逸脱するものではない。
【００７７】
なお、当接軽減部８０の傾斜面は、平坦面のみならず、それに類する若干の内方へ窪んだ凹面に形成することによって、操作者の左手ＬＨの手のひら側の親指ＬＨ１と人差指ＬＨ２の間の箇所との接触感覚が良好な操作性に優れ、且つ外観的に優れたレバードラグ式リール１を提供できる。当接軽減部８０の傾斜面は、加工のし易さでは平坦面が好ましいが、若干内方へ窪んだ凹面形状に形成できればそれでもよい。なお、リールを握持した左手の違和感がないような若干外方へ膨らんだ凸面に形成することも可能である。
【００７８】
当接軽減部８０の形成は、操作者の左手ＬＨの手のひら側の親指ＬＨ１と人差指ＬＨ２の間の箇所への負担軽減のみならず、スプール１５から繰り出された釣り糸６２の弛み部分がレバードラグ式リール１の左側面である第１側板カバー１１Ｄの上面部分に巻き付いた（上面部分に付着する）とき、第１側板カバー１１Ｄからの釣り糸６２の離脱がスムーズに行なわれる効果が得られる。
【００７９】
即ち、ジグと称される錘式のルアーを海中に垂らして釣り糸６２の長さ調整を行なう実釣開始時の釣竿６０の上下動操作や、実釣中に釣り糸６２を巻き上げる際の釣竿６０の上下動操作等において、スプール１５から繰り出された釣り糸６２に弛み部分が生じた場合、その弛み部分が第１側板カバー１１Ｄの前周囲への巻き付きではないが、第１側板カバー１１Ｄの上面部分に巻き付いた状態（上面部分に付着する状態）となる場合がある。これは、右側の第２側板１１Ｂの直径よりも左側の第１側板カバー１１Ｄの直径が小さいために、釣り糸６２に弛み部分は第２側板１１Ｂよりも第１側板カバー１１Ｄの上面に巻き付いた状態（上面部分に付着する状態）となり易いためである。
【００８０】
当接軽減部８０が存在しない場合は、第１側板カバー１１Ｄの上面に釣り糸６２が巻き付く（上面に付着する）範囲が長く、その巻き付き（付着）状態から容易に開放され難いが、当接軽減部８０が存在することによって、第１側板カバー１１Ｄの上面に釣り糸６２が巻き付く（上面に付着する）範囲が当接軽減部８０の分だけ短くなるため、その巻き付き（付着）状態から容易に開放され易くなり、釣り糸６２が第１側板カバー１１Ｄの上面から簡単に外れる効果が得られる。特に釣り糸６２が水濡れしている状態では、その巻き付き（付着）状態が強くなるが、巻き付く（上面に付着する）範囲が当接軽減部８０の分だけ短くなるため、その巻き付き（付着）状態から容易に開放される状態となる。
【００８１】
上記の実施例では、レバードラグ式リール１が釣竿６０の上側に取り付けられ、釣竿６０の竿先に向かって右側に、釣糸６２をスプール１５に巻き取り操作するハンドル１２及びドラグ機構１３のドラグ力を調整するドラグレバー１４が配置され、レバードラグ式リール１の左側面に沿わせた操作者の左手の手のひら側の親指と人差指の間の箇所の当接軽減部８０として、レバードラグ式リール１の左側面の上後端部をその左側面の外周縁に向かうに従ってスプール１５へ近づくようにハンドル１２側へ向けて削ぎ落とした傾斜面とした構成である。
【００８２】
しかし、レバードラグ式リール１の構成を左右反転した状態に構成することは容易にできる。即ち、レバードラグ式リール１が釣竿６０の上側に取り付けられ、釣竿６０の竿先に向かって左側に、釣糸６２をスプール１５に巻き取り操作するハンドル１２及びドラグ機構１３のドラグ力を調整するドラグレバー１４が配置され、レバードラグ式リール１の右側面に沿わせた操作者の右手の手のひら側の親指と人差指の間の箇所の当接軽減部８０として、レバードラグ式リール１の右側面の上後端部をその右側面の外周縁に向かうに従ってスプール１５へ近づくようにハンドル１２側へ向けて削ぎ落とした傾斜面とした構成とすることは容易にできる。
【００８３】
上記からして、本発明は、釣竿６０の上側に取り付けられ、リール本体１１に回転自在に支持されたスプール１５に釣糸６２を巻き取り操作するハンドル１２及びドラグ機構１３のドラグ力を調整するドラグレバー１４が左右両側のうちの一方側に配置されたレバードラグ式リール１において、ドラグレバー１４は、その上端部の操作部１４Ｄがレバードラグ式リール１の他方側の側面を握持する操作者の手の親指によって前後方向に揺動操作される位置として、スプール１５の左右両側のフランジ部のうちの一方側のフランジ部を覆うリール本体１１の部分の上面に覆い被さる状態に配置され、レバードラグ式リール１の他方側の側面を握持する操作者の左手の手のひら側の親指と人差指の間の箇所の当接軽減部８０として、レバードラグ式リール１の他方側の側面上後部を外周縁に向かうに従ってスプール１５側へ近づくように削ぎ落とした傾斜面としたレバードラグ式リール１である。
【００８４】
後述のように、実釣開始時に、スプール１５から繰り出される釣り糸６２をスプール１５の上部から操作者の左手ＬＨの親指ＬＨ１で押し圧することにより、釣り糸６２の繰り出しを抑制するサミング操作を行なう際、左手ＬＨの親指ＬＨ１の内側部分が、スプール１５の左フランジ部１５Ｂ側となる第１側板１１Ａの内側コーナ部分に強く当たり、サミング操作時に違和感があり、また損傷することが懸念される。本発明は、これを防止するために、リール本体１１のスプール１５側となる第１側板１１Ａの内側コーナ部分に、スプール１５側に向けて斜めに切り欠いて、左手ＬＨの親指ＬＨ１の内側部分との接触緩和用切り欠き１００を形成している。この接触緩和用切り欠き１００は、第１側板１１Ａの内側コーナ部分のうち当接軽減部８０に対応する位置であり、これによって左手ＬＨの親指ＬＨ１の内側部分が受けるサミング操作時の違和感や損傷を軽減または防止できるものとなる。図示の実施例では、図８及び図１０に示すように、接触緩和用切り欠き１００は、第１側板１１Ａの厚さ７ｍｍの内側半分が、スプール軸１６の軸線１６Ｓに向かって４５度±５度の角度でスプール１５側に向けて斜めに切り欠かれた構成である。この切り欠き面は平坦面が加工がし易いが、上から下に向かった若干の凹面または凸面であってもよい。
【００８５】
また、本発明では、操作者の左手ＬＨの親指ＬＨ１によるドラグレバー１４の操作性の向上等のために、スプール１５の右側のフランジ部１５Ｃを覆う第２側板１１Ｂ部分の円弧状の上面には、その上面に沿ってドラグレバー１４の上端部が覆い被さる状態で揺動自在に嵌まり込む円弧状溝部７０を形成している。具体的構成として、操作者の左手ＬＨの親指ＬＨ１がドラグレバー１４の上端部を操作し易いようにするために、ドラグレバー１４の一部をなすようにドラグレバー１４の上端部の操作部１４Ｄとして、合成樹脂製の親指タッチ部材１４Ｄを取り付けており、この操作部１４Ｄから下方へ突出した突起部１４Ｄ１が、円弧状溝部７０に沿って移動可能に嵌まり込んだ構成である。ドラグレバー１４を前方に押すために、操作部１４Ｄの上面後部分には、親指ＬＨ１が嵌り合う凹部１４Ｄ２が形成され、ドラグレバー１４を後方へ戻すために、操作部１４Ｄの上面前部分には親指ＬＨ１が嵌り合う凹部１４Ｄ３が形成されている。これによって、操作者の左手ＬＨの親指ＬＨ１が凹部１４Ｄ２に嵌り合った状態で、ドラグレバー１４の上端部を強く前方に押し、また操作者の左手ＬＨの親指ＬＨ１が凹部１４Ｄ３に嵌り合った状態で、強く後方へ引き戻す操作を行っても、突起部１４Ａ１が円弧状溝部７０に沿った移動を行うため、ドラグレバー１４の前後揺動操作を安定して行えるものとなる。
【００８６】
ドラグレバー１４の前後揺動操作位置を操作者に音で認識させるためと、ドラグレバー１４の揺動を段階的に行えるようにするために、発音装置６５を設けている。発音装置６５は、円弧状溝部７０の底面に球面状の窪み６６が円弧状溝部７０の長さ方向に等間隔で形成され、突起部１４Ａ１の下端からこの窪み６６へ向けて先端球面状部が突出するようにバネ６８で付勢された進出体６７によって構成されている。進出体６７は、図示のように棒状でもよいが、球状体でもよい。
【００８７】
これによって、ドラグレバー１４の揺動に伴って窪み６６に対して進出体６７が順次進入脱出動作を行うため、その都度発音することとなり、ドラグレバー１４の前後揺動操作位置を操作者が音で認識できる。また、窪み６６に対して進出体６７が進入する度に、ドラグレバー１４の揺動が断続的に抵抗を受けることとなり、ドラグレバー１４の揺動が段階的動作となり、ドラグレバー１４の揺動操作を安定して行えるものとなる。
【００８８】
また、レバードラグ式リール１の右側に配置されるドラグ調整部材５１の回動位置を操作者に音で認識させるためと、ドラグ調整部材５１の回動を段階的に行えるようにするために、図２に示すように、発音装置９５を設けている。発音装置９５は、ドラグ調整部材５１に対向するカム体３２Ｂの外側面に、球面状の窪み９６が円形状に等間隔で形成され、ドラグ調整部材５１からこの窪み６６へ向けて、先端球面状部が突出するようにバネ９８で付勢された進出体９７によって構成されている。進出体９７は、図２に拡大で示すように球状体でもよいが、棒状でもよい。
【００８９】
これによって、ドラグ調整部材５１の回動に伴って窪み９６に対して進出体９７が順次進入脱出動作を行うためその都度発音することとなり、ドラグ調整部材５１の回動位置を操作者が音で認識できる。また、窪み９６に対して進出体９７が進入する度に、ドラグ調整部材５１の回動が断続的に抵抗を受けることとなり、ドラグ調整部材５１の回動が段階的動作となり、ドラグ調整部材５１の回動操作を安定して行えるものとなる。
【００９０】
レバードラグ式リール１の左側に、釣り糸６２の繰り出しに伴うスプール１５の回転にブレーキを掛けるブレーキ装置７５を備えている。具体的には、図２に示すように、第１側板１１Ａ内にブレーキ装置７５が収容され、ブレーキ装置７５の操作部７６が第１側板１１Ａの一部である第１側板カバー１１Ｄの左側面の前上部に露出状態で配置されている。ブレーキ装置７５は、スプール１５の左側面に対し離れる方向へコイルバネ７８にて付勢された作動体７７と、第１側板１１Ａ内に回動自在に軸支持７６Ａされ、コイルバネ７８に抗して作動体７７をスプール１５のフランジ部１５Ｂの外側面へ押し圧する操作部７６を備えている。
【００９１】
通常、コイルバネ７８の付勢によって作動体７７はスプール１５の側面から離れた状態である。これと共に操作部７６の一部は、コイルバネ７８によって外方へ付勢された作動体７７によって、第１側板カバー１１Ｄの外に露出状態である。実釣の最初に行なうキャスティングとして、ジグと称される錘式のルアーを使用した釣り糸６２を釣り竿６０から略真下へ向けて垂らす際や、実釣中に釣れた魚による引きによって、釣り糸６２の繰り出しに伴ってスプール１５が回転するとき、この回転にブレーキを掛けるためには、操作部７６を操作者の左手ＬＨの親指ＬＨ１か人差し指ＬＨ２によって押し圧することにより、作動体７７の先端がスプール１５の左側面に圧接する程度によって、スプール１５の回転にブレーキが掛かる。
【００９２】
操作者による操作部７６の操作のし易さを達成するためには、図５に示すように、レバードラグ式リール１の左側面において、ブレーキ装置７５の操作部７６は、第１側板カバー１１Ｄの左側面の前上部に配置されるようにするために、釣竿６０の軸線６０Ｓと平行であってスプール軸１６の軸線１６Ｓと直角に交差する直線ＳＬと、直線ＳＬに直角に交差する直線ＳＹとで囲まれた上部の前部領域１Ｓ１２に配置された構成である。この前部領域１Ｓ１２への操作部７６の配置によって、後述のサミング操作やスプール１５への釣り糸６２の巻取り時の誘導時に、操作者の左手ＬＨの親指ＬＨ１と人差し指ＬＨ２の間に操作部７６が位置する状態となるため、これらの操作の邪魔にならない効果がある。
【００９３】
実釣中に釣針が岩等の異物に引っ掛かったときなどの異常時に、釣り竿６０の強い引き上げ操作によってその引っ掛かりを外す、または釣り糸６２を切る操作を行なう。そのために、釣り糸６２の繰り出し方向へのスプール１５の回転を停止させるストップ装置８５が、図２に示すように、レバードラグ式リール１の左側の第１側板１１Ａ内に収容されている。
【００９４】
ストップ装置８５は、スプール１５の左側面に取り付けたラチェット車（つめ車）８６の歯に対して係止と離脱を行なうロック部材８７と、ロック部材８７を操作するロック操作部８８を備えており、通常時はロック部材８７がラチェット車（つめ車）８６の歯に係止状態ではなく、ロック操作部８８が第１側板１１Ａの下部に露出するようにバネ付勢されている。そして、上記異常時には、ロック部材８７がラチェット車８６の歯に係止してスプール１５の回転を停止させるように、ロック操作部８８を回動操作する。
【００９５】
上記のように、ドラグレバー１４の往復揺動によって、第１摩擦板１３Ａと第２摩擦板１３Ｂの当接力の強弱が調整され、ドラグ力の強弱が調整される。このため、ドラグ調整装置５０によって設定された調整範囲において、ドラグレバー１４の揺動によって第１摩擦板１３Ａと第２摩擦板１３Ｂの当接力の強弱が調整される、即ち、ドラグ力が調整されることとなる。ドラグ調整装置５０にてドラグ力を強い範囲に設定すれば、この強められた状態を基準として、ドラグレバー１４の揺動によってドラグ力の強弱調整が得られ、また、ドラグ調整装置５０にてドラグ力を弱い範囲に設定すれば、この弱められた状態を基準として、ドラグレバー１４の揺動によってドラグ力の強弱調整が得られることとなる。
【００９６】
このため、魚釣りを行う際に、魚の種類、釣竿の強度、釣り糸の強度等によって、スプール１５の釣り糸繰り出し方向の回転に対するドラグ力の調整を強い範囲で行うようにするか、ドラグレバー１４によるドラグ力の調整を弱い範囲で行うようにするかを見定め、それに基づいてドラグ調整装置５０によってドラグ力の強弱調整範囲を初期設定し、この設定状態において、操作者の左手の親指によってドラグレバー１４の揺動操作を行なうことによって、ドラグ力の調整が得られることとなる。
【００９７】
また、反ハンドル側である操作者の左手ＬＨの手によってレバードラグ式リール１の左側面を握持した状態で、実釣開始時に、錘式のルアーを使用した釣り糸６２を釣り竿６０から略真下へ向けて垂らしてスプール１５から釣り糸６２を繰り出すキャスティングのとき、スプール１５から繰り出される釣り糸６２をスプール１５の上部から操作者の左手ＬＨの親指ＬＨ１で押し圧することにより、釣り糸６２の繰り出しを抑制するサミング操作を行なう際や、釣り糸６２の巻取り時に、釣り糸６２がスプール１５へ略均一に巻き取れるようにするために、釣り糸６２を操作者の左手ＬＨの親指ＬＨ１にて押し圧状態で案内誘導したり、釣り糸６２を操作者の左手ＬＨの親指ＬＨ１と人差し指で挟んで案内誘導する際にも、レバードラグ式リール１の左側面に対し操作者の左手の手のひらが当接するときの違和感なく好ましいフッティング状態が得られるものとなる。
【００９８】
レバードラグ式リール１は、スプール１５の左フランジ部１５Ｂと第１側板１１Ａとの隙間や、スプール１５の右フランジ部１５Ｃと第２側板１１Ｂとの隙間に、釣り糸６２が侵入することを防止して、釣り糸６２がスプール１５へ案内されるようにするために、図１、図６、図８、図１１、図１２〜図１５に示すように、スプール１５の前面側にスプール１５から離間した状態に釣り糸ガイド９０を設けている。釣り糸ガイド９０は、スプール１５の左フランジ部１５Ｂ及び右フランジ部１５Ｃよりも外側位置において、基部９０Ａが第１側板１１Ａと第２側板１１Ｂとに取付けられ、これら基部９０Ａ間に湾曲状の釣り糸ガイド部９０Ｂを左右に一体形成した線状体で形成されている。釣り糸ガイド９０を安定保持するために、左右の釣り糸ガイド部９０Ｂの連絡部が連結部１１Ｃの溝に上部が露出する状態で嵌まり込んでいる。
【００９９】
更に詳細に説明すれば、レバードラグ式リール１を釣り竿６０の上面に取付けた正規の状態で、釣り竿６０の軸線６０Ｓに平行な正面視において、釣り糸ガイド９０は、図１１に示すように、湾曲状の釣り糸ガイド部９０Ｂは、スプール１５の円筒状の糸巻き胴部１５Ａに対応する下部の左右間隔ＴＢよりも、スプール１５の円筒状の左右両側のフランジ部１５Ｂ、１５Ｃに対応する上部の左右間隔ＴＣが狭く、且つ、そのＴＢ及びＴＣのいずれも、スプール１５の左フランジ部１５Ｂと右フランジ部１５Ｃとの間隔ＴＡよりも狭く形成されている。即ち、ＴＡ＞ＴＢ＞ＴＣである。
【０１００】
これによって、スプール１５への釣り糸６２の巻き初めは、釣り糸ガイド部９０Ｂの下部領域の左右間隔ＴＢによって左右への移動が規制されつつ糸巻き胴部１５Ａに巻かれ、その巻き厚が大きくなるに従って、釣り糸ガイド部９０Ｂの上部領域の左右間隔ＴＣによって左右への移動が規制される。このように、釣り糸６２の左右への振れが釣り糸ガイド部９０Ｂによって規制されるため、釣り糸６２をスプール１５へ巻き取る際に、釣り糸６２を親指ＬＨ１にて押し圧状態で案内誘導することによって、スプール１５へ略均等に巻き取ることができ、スプール１５の左右フランジ部１５Ｂ、１５Ｃと第１側板１１Ａ、第２側板１１Ｂとの隙間に釣り糸６２が侵入することを防止できる。
【０１０１】
また、釣り竿６０を左右に振る等によって釣り糸６２がスプール１５の左右側へ振れても、釣り糸６２が釣り糸ガイド９０の左右の釣り糸ガイド部９０Ｂに接触しつつスプール１５へ巻き取られるため、スプール１５の左右フランジ部１５Ｂ、１５Ｃと第１側板１１Ａ、第２側板１１Ｂとの隙間に釣り糸６２が侵入することを防止できる状態で、釣り糸６２がスプール１５へ案内されるようになる。また、操作者がレバードラグ式リール１を左右に振らすように釣り竿６０を操作することによって、釣り糸６２が釣り糸ガイド９０の左右の釣り糸ガイド部９０Ｂに接触しつつスプール１５へ巻き取られるため、スプール１５への釣り糸６２の巻取りの偏りを少なくできることとなる。
【０１０２】
本発明のレバードラグ式リール１は、上記の実施例に限定されず、本発明の趣旨に則る種々の実施形態を含むものである。
【符号の説明】
【０１０３】
１・・・・・・・レバードラグ式リール
２・・・・・・・取付け脚
１１・・・・・・リール本体
１１Ａ・・・・・第１側板
１１Ｂ・・・・・第２側板
１１Ｃ・・・・・連結部
１１Ｄ・・・・・第１側板カバー
１１Ｄ２・・・・軸支持部
１１Ｄ３・・・・軸支持部
１１Ｅ・・・・・第２側板カバー
１１Ｅ１・・・・第２側板内カバー
１１Ｅ１Ｂ・・・膨出部
１１Ｅ２・・・・第２側板外カバー
１２・・・・・・ハンドル
１３・・・・・・ドラグ機構
１３Ａ・・・・・第１摩擦板
１３Ｂ・・・・・第２摩擦板
１４・・・・・・ドラグレバー
１５・・・・・・スプール
１６・・・・・・スプール軸
１７Ａ、１７Ｂ・・・・軸受け
２２・・・・・・・メインギア
２３・・・・・・・ピニオンギア
２４、２５・・・・軸受け
２７・・・・・・第１付勢部材
２８・・・・・・第２付勢部材
３０・・・・・・カム機構
３１・・・・・・第１カム
３１Ａ・・・・・カム面
３２・・・・・・第２カム
３２Ａ・・・・・カム部
３２Ｂ・・・・・カム体
５０・・・・・・ドラグ調整装置
５１・・・・・・ドラグ調整部材
６０・・・・・・釣り竿
６２・・・・・・釣り糸
６５・・・・・・発音装置
７０・・・・・・円弧状溝部
７５・・・・・・ブレーキ装置
８０・・・・・・当接軽減部
８５・・・・・・ストップ装置
９０・・・・・・釣り糸ガイド部
９５・・・・・・発音装置
１００・・・・・接触緩和用切り欠き
ＬＨ・・・・・左手
ＬＨ１・・・・左手の親指
【図１】
2014050334.tif 000003
【図２】
2014050334.tif 000004
【図３】
2014050334.tif 000005
【図４】
2014050334.tif 000006
【図５】
2014050334.tif 000007
【図６】
2014050334.tif 000008
【図７】
2014050334.tif 000009
【図８】
2014050334.tif 000010
【図９】
2014050334.tif 000011
【図１０】
2014050334.tif 000012
【図１１】
2014050334.tif 000013
【図１２】
2014050334.tif 000014
【図１３】
2014050334.tif 000015
【図１４】
2014050334.tif 000016
【図１５】
2014050334.tif 000017
【図１６】
2014050334.tif 000018